(57)【要約】【課題】専用洗剤を高濃度化し、霧化することで飛躍的に洗浄性能を向上させた食器洗い機を実現する。【解決手段】上方に開口部５を有して前方に引き出し可能な洗浄槽３の前面下方に洗剤液飛散手段１８を配置している。洗剤液飛散手段１８は飛散部１９と貯水部２０を有し、汚れのついた食器に高濃度の洗剤液を付着させる。高濃度洗剤液の噴射後は、汚れに付着した高濃度の洗剤液が浸透、膨潤し、洗剤の効果をより得られるように一定時間放置する。この後所定の洗浄工程を行うことで洗浄力を飛躍的に高めることができる。【選択図】図１
2005237537.tif 000002
【特許請求の範囲】
【請求項１】
食器洗い機本体と、上方に開口部を有して食器等の被洗浄物を収容し、前記食器洗い機本体から略水平方向に引き出し可能な洗浄槽と、洗浄水を加圧する洗浄ポンプと、前記洗浄ポンプにより加圧された洗浄水を噴射する噴射口を有した洗浄手段と、前記洗浄手段によって噴射する洗浄水より高い濃度の洗剤液を被洗浄物に付着させる洗剤液飛散手段とを備えた食器洗い機。
【請求項２】
洗浄槽の開口部を開閉する蓋体を設け、前記蓋体によって開口部が閉じられているときに洗剤液飛散手段により洗剤液を飛散可能に構成した請求項１記載の食器洗い機。
【請求項３】
洗剤液飛散手段は、飛散させる洗剤液を貯留する貯留部と、前記高い濃度の洗剤液を飛散させる飛散部とを有する構成とした請求項１または２記載の食器洗い機。
【請求項４】
洗浄槽の内壁面に外側へ窪ませた凹部を設け、前記凹部に洗剤液飛散手段の少なくとも一部を収容した請求項１〜３のいずれか１項に記載の食器洗い機。
【請求項５】
食器洗い機本体の前方に開口部を設け、前記開口部を洗浄槽の前面パネルにより閉塞可能に構成するとともに、前記洗浄槽の前面パネルまたはその近傍に洗剤液飛散手段の少なくとも一部を設けた請求項１〜４のいずれか１項に記載の食器洗い機。
【請求項６】
洗剤液飛散手段は、洗剤液を微粒化して被洗浄物に付着させる構成とした請求項１〜５のいずれか１項に記載の食器洗い機。
【請求項７】
洗浄槽内に空気の流れを作る流動手段を設け、前記流動手段により洗剤液を被洗浄物に付着させる構成とした請求項１〜６のいずれか１項に記載の食器洗い機。
【請求項８】
食器洗い機本体と、上方に開口部を有して食器等の被洗浄物を収容し、前記食器洗い機本体から略水平方向に引き出し可能な洗浄槽と、洗浄水を加圧する洗浄ポンプと、前記洗浄ポンプにより加圧された洗浄水を噴射する噴射口を有した洗浄手段と、前記洗浄手段によって噴射する洗浄水より高い濃度の洗剤液を被洗浄物に付着させる洗剤液飛散手段とを備え、前記洗浄手段から噴射する洗浄水は、前記洗浄槽に供給した所定量の水に被洗浄物に付着した洗剤液を溶解して所定の濃度になるようにした食器洗い機。
【請求項９】
洗浄槽に供給した水を洗浄手段により噴射し、被洗浄物に付着した洗剤液を前記洗浄手段により噴射した水に溶解するようにした請求項８に記載の食器洗い機。
【発明の詳細な説明】
【技術分野】
【０００１】
本発明は、食器に洗浄水を噴射して洗浄する食器洗い機に関するものである。
【背景技術】
【０００２】
従来、この種の食器洗い機は、図５に示すように食器等に付着した汚れを除去するために、霧状した洗浄水を予め食器に吹きかけて汚れを膨潤させた後、水の噴射による機械力や洗剤による化学力等を利用した洗浄方式が考えられていた（例えば、特許文献１参照）。
【０００３】
以下、その構成について説明する。食器洗い機本体５１は、食器を収納する食器カゴ（図示せず）を洗浄槽５３内に収納し、洗浄槽５３の開口部５２には扉５４を設けている。５５は洗浄槽５３に貯水した洗浄水を食器に向けて噴出するノズル、５６は洗浄槽５３内に貯水した洗浄水を霧化する霧化装置である。
【０００４】
以上のように構成された食器洗い機について、その動作を以下に説明する。まず、食器カゴに汚れた食器をセットし、運転を開始する。運転が開始されると、まず霧化装置５６によって洗浄槽５３内に貯水した洗浄水を霧化して洗浄槽５３内に噴霧させることで、食器等に付着した汚れを膨潤させる。次に専用洗剤を投入し、ノズル５５より噴出する洗浄液で食器を洗浄する本洗い工程を行う。そして、食器等に付着した汚れを食器から洗い流すために、洗浄槽５３内の洗浄水を数回入れ替えてのすすぎ工程を行う。そして、入れ替えた洗浄水を約７０℃に加熱した温水すすぎ工程を行い、食器の洗浄を終了するものである。最後に食器に付着した水滴を乾燥する乾燥工程を行い運転を終了する。
【特許文献１】特開２０００−１８９３７５号公報
【発明の開示】
【発明が解決しようとする課題】
【０００５】
しかしながら、従来の食器洗い機は専用洗剤を溶解させていない水道水を霧化しており、汚れに対する一定の膨潤効果を得ることはできるが、強固なタンパク質汚れや油脂汚れに対する洗浄効果を向上させるまでには至らなかった。また、より洗浄力を高めるために、専用洗剤に加えて別途高濃度洗剤を用いる必要があった。
【０００６】
本発明は、前記従来の課題を解決するもので、専用洗剤を高濃度化し、霧化することで飛躍的に洗浄性能を向上させた食器洗い機を提供することを目的とする。
【課題を解決するための手段】
【０００７】
前記従来の課題を解決するために、本発明の食器洗い機は、洗剤を溶解させた洗浄水を、本洗い工程で用いる所定洗剤濃度より高い状態で霧化して飛散させ、食器等に付着させるものである。
【０００８】
これにより、食器に付着した汚れに対して、膨潤効果の他に、洗剤成分の有するアルカリ洗浄力や界面活性作用、漂白作用、キレート作用と共に、洗剤液の高濃度化の効果により、洗浄力を飛躍的に高めることができるものである。
【発明の効果】
【０００９】
本発明の食器洗い機は、飛躍的に洗浄力を向上させた食器洗い機を実現することができる。
【発明を実施するための最良の形態】
【００１０】
第１の発明は、食器洗い機本体と、上方に開口部を有して食器等の被洗浄物を収容し、前記食器洗い機本体から略水平方向に引き出し可能な洗浄槽と、洗浄水を加圧する洗浄ポンプと、前記洗浄ポンプにより加圧された洗浄水を噴射する噴射口を有した洗浄手段と、前記洗浄手段によって噴射する洗浄水より高い濃度の洗剤液を被洗浄物に付着させる洗剤液飛散手段とを備えたことにより、被洗浄物に付着した汚染に対して化学力を大幅に高めた洗剤液を作用させることができるため、飛躍的に高い洗浄力を得ることができる。
【００１１】
第２の発明は、第１の発明において、洗浄槽の開口部を開閉する蓋体を設け、前記蓋体によって開口部が閉じられているときに洗剤液飛散手段により洗剤液を飛散可能に構成したことにより、洗浄槽の開口部から本体内に霧化した洗剤液が洗浄槽を引き出した時に、洗浄槽内に充満した洗剤液が洗剤液飛散手段から飛散した洗剤液と共に洗浄槽外に漏れ出すことがない。
【００１２】
第３の発明は、第１および第２の発明において、洗剤液飛散手段は、飛散させる洗剤液を貯留する貯留部と、前記高い濃度の洗剤液を飛散させる飛散部とを備えたことにより、貯留部で洗剤を溶解して洗剤液を生成させることができるため、高濃度の洗剤液を生成して飛散させることができる。
【００１３】
第４の発明は、第１〜第３の発明において、洗浄槽の内壁面に外側へ窪ませた凹部を設け、前記凹部に洗剤液飛散手段の少なくとも一部を収容したことにより、洗浄槽内への洗剤液飛散手段の占有容積を抑えることができるため、食器収容容積を損なうことはない。
【００１４】
第５の発明は、第１〜第４の発明において、食器洗い機本体の前方に開口部を設け、前記開口部を洗浄槽の前面パネルにより閉塞可能に構成するとともに、前記洗浄槽内の前面パネルまたはその近傍に洗剤液飛散手段の少なくとも一部を設けたことにより、食器収容面積を損なうことがない。
【００１５】
第６の発明は、第１〜第５の発明において、洗剤液飛散手段は、洗剤液を微粒化して被洗浄物に付着させる構成としたことにより、食器と食器のわずかな隙間にも十分微粒化した高濃度の洗剤液が入り込み、食器に付着した汚れに対して均一に、かつ汚れ表面の凹部の底までムラなく付着させることができる。
【００１６】
第７の発明は、第１〜第６の発明において、洗浄槽内に空気の流れを作る流動手段を設け、前記流動手段により洗剤液を被洗浄物に付着させる構成としたことにより、飛散させた高濃度の洗剤粒子が形状の複雑な食器の表面により均一にムラなく付着させることができる。
【００１７】
第８の発明は、食器洗い機本体と、上方に開口部を有して食器等の被洗浄物を収容し、前記食器洗い機本体から略水平方向に引き出し可能な洗浄槽と、洗浄水を加圧する洗浄ポンプと、前記洗浄ポンプにより加圧された洗浄水を噴射する噴射口を有した洗浄手段と、前記洗浄手段によって噴射する洗浄水より高い濃度の洗剤液を被洗浄物に付着させる洗剤液飛散手段とを備え、前記洗浄手段から噴射する洗浄水は、前記洗浄槽に供給した所定量の水に被洗浄物に付着した洗剤液を溶解して所定の濃度になるようにしたことにより、洗剤液の噴霧後も引き続き通常洗浄用濃度の洗剤液を容易に作れるため、前処理工程で浮かした汚れを確実に洗浄することができる。
【００１８】
第９の発明は、第８の発明において、洗浄槽に供給した水を洗浄手段により噴射し、被洗浄物に付着した洗剤液を前記洗浄手段により噴射した水に溶解するようにしたことにより、一種類の洗剤のみで高濃度の洗剤液を汚染物に対して噴霧して汚れの分解や溶解等を促進させ、その後も所定濃度の洗剤液で洗浄することができるため、洗剤の有効利用を図るとともに、通常では取れない汚れの洗浄を可能とするなど、飛躍的に高い洗浄性能を安価に実現することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における食器洗い機の断面図、図２は、同食器洗い機の洗剤液飛散手段の要部断面図、図３は、同食器洗い機の洗剤液飛散手段の要部断面図、図４は、洗剤飛散手段の要部斜視図である。図１から図４に示すように、食器洗い機の本体１は、前方に開口部２（本体開口部）を設け、前記開口部２を洗浄槽３の前面パネル４により閉塞可能に構成している。そして、上方に開口部５（洗浄槽開口部）を有する洗浄槽３の下方に洗浄ポンプ６により加圧した洗浄水を噴射する噴射口７を有する洗浄ノズル８（洗浄手段）を設けている。
【００２１】
洗浄ノズル８の上方には被洗浄物である食器を収納する食器かご９を設けている。洗浄槽３の下部には、洗浄水を加熱するヒータ１０を配置している。また、洗浄槽３の側壁にはローラ１１を配置するとともに、本体１の内側壁にはガイドレール１２を配置しており、洗浄槽３は本体１に対して略水平方向に引き出し可能に支持されている。また、洗浄槽３の上部には洗浄槽３の開口部５を覆う蓋体１３が本体１に対して略上下方向に移動可能に設けられており、洗浄槽３が前方に引き出されると上方に移動し、本体１に収納されると下方に移動する。なお、蓋体１３の周囲にはシール部１４を設けており、洗浄槽３との間を水封する構成を有している。
【００２２】
１５は洗浄槽３に洗浄水を供給するための給水弁である。１６は前面パネル４の内部に設けられた制御装置であり、洗浄ポンプ６やヒータ１０等を制御する。洗浄槽３の前面下方の内壁面には外側に窪ませた凹部１７を設け、その凹部１７に洗剤液飛散手段１８を配置している。洗剤液飛散手段１８は、洗剤液を飛散する飛散部１９と、洗剤液を貯留する貯留部２０で構成し、その上部を洗剤入れカバー２１で覆う。貯留部２０は、洗浄槽３の前側壁面の下部に洗剤投入口２２を設けている。飛散部１９および貯留部２０は、洗浄槽３とは独立した槽として形成し、洗浄水は洗浄槽３と洗剤入れカバー２１で構成する切り欠き部２４を通して洗浄槽３と連通している。また、霧化した高濃度の洗剤は、洗剤入れカバー２１の側面に設けた側面開口部２５を通して洗浄槽３内に飛散していく。
【００２３】
飛散部１９は、容器２６内に液体２７と空気２８を封入し、超音波発振子２９の発振面３０を液体２７に向ける方向で容器２６の下面に配置し、蓋３１で超音波発振子２９に取り付けたパッキン３２を圧接して水封する構成をしている。また、超音波発振子２９の発振面３０は、容器２６の界面３３（傾斜面）に対しては略平行に設けるが、洗浄槽３の水面とは若干の角度を持って設置されている。
【００２４】
上記構成において動作、作用を説明する。まず、高濃度の洗剤液を食器に付着させる前処理工程が行われる。本発明の飛散部１９は、超音波発振子２９の発振面側に液体２７を封入した容器２６で構成されており、超音波発振子２９は洗浄水と直接触れることはない。したがって、食器洗い機を運転する場合においても、非常に汚れた洗浄水と触れることがないので、食品がヘドロ状になって超音波発振子２９の発振面３０に付着し、固化することはない。また、井戸水など非常に硬度が高い水を使用する場合においても、その無機質分が析出して超音波発振子２９の発振面３０に付着することはなく、霧化を安定的に長期間にわたって行うことができる。
【００２５】
次に、本発明の食器洗い機の動作について説明する。まず、洗浄槽３を本体から引き出して、所定量の洗剤３６（専用洗剤が好ましい）を洗剤投入口２２から貯留部２０に入れる。次に、給水弁１５から所定水量の洗浄水を給水する。このとき、洗浄水は、制御装置１６により、界面３３より上になるように給水される。このとき、洗浄水は洗浄槽３内はもちろん、切り欠き部２４より飛散部１９および貯留部２０内に浸入し、洗剤の一部が洗浄水に溶け始める。この時点において、超音波発振子２９を駆動させると、その発振が液体２７を伝播し、界面３３を通して洗浄水に伝わる。そして、水面に水柱３４が発生してその水柱３４から高濃度洗剤液の霧化が行われる。
【００２６】
高濃度洗剤液の生成は、洗剤液を溶解させることと、高濃度洗剤液の洗浄槽３内の洗浄水に対する拡散を抑えることで行う。まず、濃度に関しては、例えば、飛散部１９と貯留部２０の貯水容積を洗浄槽３全体に貯水する給水量の１／５０に設定し、投入する洗剤を所定量投入した場合、理論的には約５０倍濃度の洗剤液を生成することができる。しかしながら、切り欠き部２４により洗浄槽３内とつながっているため、洗剤液に拡散により洗剤液濃度は若干減少する。そこで濃度の減少を抑制するために、高濃度洗剤液でできた水柱３４が直接洗浄槽３内へ流出しないように、洗剤入れカバー２１の内壁に戻り通路３５を設け、高濃度洗剤液を貯留部２０に回収する。
【００２７】
この構成により、飛散部１９と貯留部２０の間で高濃度洗剤液の水の流れが発生し、洗剤液濃度の低下を防ぐとともに洗剤３６の溶解を早める。また、霧化動作と同時にヒータ１０を通電することにより、洗浄水も加熱されるため洗剤の溶解を促進し、洗剤液濃度をさらに高める。このように、高濃度洗剤液の濃度は、洗剤液の飛散の進行に従って洗剤液の濃度が濃くなるものである。このため、まず濃度の薄い洗剤液を汚染に付着させて洗剤液を汚れになじませ、引き続いて高濃度の洗剤液を汚染に付着させることで、高濃度にすることで流動性の悪くなる界面活性剤の汚染への浸透性を高め、洗浄性能を向上させるものである。
【００２８】
なお、切り欠き部２４より高濃度洗剤液が洗浄槽３内に流出していくが、切り欠き部２４の開口面積を最小としているため洗剤液濃度の低下を最小限度にしている。また、界面３３より上方に洗浄水がなくなると霧化の発生も止まり高濃度の洗剤液も飛散しなくなるため、超音波発振子２９を駆動する時は必ず洗浄水が界面３３より上に存在するように制御装置１６は給水弁１５を制御する。なお、界面３３と発振面３０の距離や相対角度、および界面３３から水面までの距離などをそれぞれ最適化することで、霧の発生効率が高くなる。また、界面３３を傾斜面としているのは、界面３３の内壁に気泡が付着すると、超音波発振子２９の振動が界面３３に伝播するのが難しくなるので、その気泡を傾斜面に沿って移動させ、振動の中心からずらすためである。
【００２９】
また、超音波発振子２９で霧化させた高濃度洗剤液は０．３ミクロン程度の微細粒径であるため、そのままでは洗浄槽３の上部まで対流することはなく、水面近傍に漂うだけである。しかしながら、本発明の構成では、霧化動作と同時にヒータ１０（流動手段）を通電させるため、洗浄水が加熱し、温度上昇にともなう熱によって空気の対流が発生する。そして、空気の対流効果により霧化した高濃度洗剤液が洗浄槽３内をくまなく充満して食器の表面にムラなく付着する。また、霧化した高濃度洗剤液の温度を高めることで、化学力がさらに増すため洗浄効果は飛躍的に向上するものである。
【００３０】
このように、食器の汚染に付着した高濃度の洗剤液が浸透、膨潤し、洗剤の効果をより得られるように一定時間放置する。
【００３１】
次に、洗浄ポンプ６を駆動して洗浄ノズル８から食器に噴射する本洗い工程を行う。なお本洗い工程は、前処理工程で食器等に噴霧した分に加え、貯留部１９や飛散部２０内に残った洗剤液も洗浄槽３内に拡散していくため、通常洗剤濃度の洗浄水で洗浄を行う。
【００３２】
そして、洗浄槽３の洗浄水を入れ替えての数回のすすぎ工程を行った後、最後に加温した高温の洗浄水ですすぐ加熱すすぎ工程を行って洗浄工程を終了する。また、最後に洗浄した食器を乾燥する乾燥工程を行う場合もある。
【００３３】
この洗剤を高濃度にすることに関しては、洗剤の主成分である界面活性剤やアルカリ剤、あるいは漂白剤、キレート剤等が従来濃度以上に汚染に付着するため、汚れと食器との界面に洗浄液が入りやすくなる効果や、アルカリによる洗浄効果や漂白成分による漂白効果を飛躍的に発揮させることができる。そして、前処理工程の後の本洗浄工程では、前処理工程で高濃度洗剤液により特定の汚れを分解した後の汚れを通常洗剤濃度の洗浄液で洗浄することで、被洗浄物の汚れは、確実に洗浄できる。
【００３４】
このように、本実施の形態においては、洗剤飛散手段１８により通常使用時の洗剤濃度より高濃度の洗剤液を被洗浄物に付着させて放置する前処理工程を有することにより、洗浄性能を大幅に向上することができる。またこの高い洗浄力を用いて、より短時間で洗浄することや、より低い洗浄水温度で洗浄することができる。また従来では取れなかった汚れを洗浄することができる。
【００３５】
また、洗浄槽３を本体１開口部２から引き出して食器を出し入れする食器洗い機では、洗浄槽３に高濃度洗剤液が充満しているときに開口部５を覆う蓋体１３を開けると、洗剤液がすべて洗浄槽３外に出てしまい、洗浄性能を大きく損なう。本発明の構成によれば、洗浄槽３は上方に開口部５を有しているため、食器を追加するときなど、洗剤液を飛散させる工程の途中で洗浄槽３を開口した場合でも、洗浄槽３内に充満した高濃度の洗剤液は洗浄槽３外に漏れ出すことはなく、高濃度の洗剤液による高い洗浄力を維持することができる。
【００３６】
なお、本実施例では、高濃度洗剤の飛散のために超音波発振子を用いて霧化して行う方法について説明したが、他にも予め高濃度洗剤を生成し、その液体を高圧ポンプやエアポンプ等の噴霧手段を用いて食器に飛散させる方法も考えられる。
【００３７】
また、前処理工程での洗剤液を含めて最初に投入した洗剤を後の本洗い工程で使用するため、洗剤が途中で少なくなることは、洗浄性能の低下を引き起こすことになるが、開口部５を開閉する蓋体１３を設け、前記蓋体１３によって開口部５が閉じられているときに洗剤液飛散手段１８により洗剤液を飛散可能に構成したことにより、洗浄槽３を引き出した時に、霧化した洗剤液が洗浄槽３内に充満した洗剤液が、洗剤液飛散手段１８から飛散した洗剤液と共に洗浄槽外に漏れ出すことがない。
【００３８】
また、洗剤液飛散手段１８は、飛散させる洗剤液を貯留する貯留部２０と、前記高い濃度の洗剤液を飛散させる飛散部１９とを備えたことにより、貯留部２０で洗剤を溶解しながら洗剤液を生成させることができるため、高濃度の洗剤液を飛散させることができる。
【００３９】
また、洗浄槽３の内壁面に外側へ窪ませた凹部１７を設け、前記凹部１７に洗剤液飛散手段の少なくとも一部を収容したことにより、食器かご９から蓋体１３までの高さ（食器収容高さ）を低くすることなく洗剤液飛散手段１８を構成することができる。このためコップ等の背の高い食器の収納性を損なうことなく高い洗浄性能を得ることができる。
【００４０】
また、食器洗い機の本体１の前方に開口部２を設け、前記開口部２を洗浄槽３の前面パネルにより閉塞可能に構成するとともに、前記洗浄槽３の前面パネルまたはその近傍に洗剤液飛散手段１８の少なくとも一部を設けているため、食器収容面積を狭くすることがない。よって、食器容量はそのままで高い洗浄性能を得られる食器洗い機とすることができる。
【００４１】
また、洗剤を投入する貯留部２０を本体１の前方に配置することで、洗剤投入を容易に行うことができ、使い勝手のよい食器洗い機とすることができる。
【００４２】
また、洗剤液飛散手段１８は、超音波発振子を用いて高濃度の洗剤液を微粒化して霧化するため、高濃度の洗剤液を食器と食器のわずかな隙間にも十分入り込ませることができる。また、食器に付着した汚れに対しても均一に、かつ汚れ表面の凹部の底までムラなく付着させることができる。
【００４３】
また、洗浄槽３内に空気の流れを作る流動手段を設け、前記流動手段により洗剤液を被洗浄物に付着させる構成としたことにより、飛散させた高濃度の洗剤粒子が形状の複雑な食器の表面により均一に付着させることができるため、付着ムラを低減することができる。
【００４４】
また、洗浄槽内に空気の流れを作る流動手段を設け、前記流動手段により高濃度の洗剤液を被洗浄物に付着させる構成としたことにより、飛散させた高濃度の洗剤粒子がより均一、広範囲に食器の表面に付着させ、付着量の増大と付着ムラを低減することができる。
【００４５】
なお、本実施の形態では、空気の対流をヒータにより引き起こして高濃度の洗剤液を均一に食器に付着させる構成としたが、他にも送風機を用いて洗浄槽３内の空気を循環させて洗浄槽３内に空気の流れを起こして均一に飛散させる方法も考えられる。
【００４６】
また、洗浄槽３に供給した水を洗浄ノズル８により噴射し、被洗浄物に付着した洗剤液を洗浄ノズル８により噴射した水に溶解させるようにしたことにより、一種類の洗剤から高濃度の洗剤液を作って汚染物に対して噴霧して汚れの分解や溶解等を促進させ、その後も水を加えることで洗剤液濃度を所定の濃度にして洗浄するため、洗剤の有効利用を図るとともに、通常では取れない汚れの洗浄を可能とするなど、飛躍的に高い洗浄性能を安価に実現することができる。
【００４７】
また、洗浄ノズル８から噴射する洗浄水は、洗浄槽３に供給した所定量の水に被洗浄物に付着した洗剤液を溶解して所定の濃度となるようにしたことにより、洗剤液の噴霧後も引き続き通常洗浄用濃度の洗剤液を容易に作れるため、前処理工程で浮かした汚れを確実に洗浄することができる。また、洗剤の有効利用により少ない使用量で高い洗浄性能を得られる。
【００４８】
なお、本実施例では、封入の液体として蒸留水を入れているが、他に塩水等振動を伝播できる液体ならば他のものでもよい。さらに、不凍液を用いることで、低温環境化でも動作することが可能となる。また、界面３３として振動しやすい樹脂で構成しているが、超音波発振子の能力により金属で構成しても発振さえすれば何ら問題はない。
【００４９】
また、本実施例では、蓋体１３で洗浄槽３の開口部５を塞ぎ、かつ、開口部５を閉じているときに飛散させる構成と、洗剤液飛散手段１８を貯水部２０と飛散部１９で構成したことと、洗浄槽３に凹部１７を設けて洗剤液飛散手段１８の少なくとも一部を収容することと、洗剤液の微粒化することと、流動手段により高濃度の洗剤液を被洗浄物に付着させる構成と、高濃度洗剤液を用いて次工程に用いる構成、ならびに所定量の洗剤を本洗い工程で用いる構成については、一体で実施する必然性はなく、各々独立して実施が可能である。
【産業上の利用可能性】
【００５０】
以上のように、本発明にかかる食器洗い機は、高濃度の洗剤液を予め食器等の被洗浄物に噴霧した後、通常洗浄を行うもので、飛躍的に高い洗浄性能を得られる食器洗い機等として有用である。
【図面の簡単な説明】
【００５１】
【図１】本発明の実施の形態１の食器洗い機の断面図
【図２】同食器洗い機の洗剤液飛散手段の要部断面図
【図３】同食器洗い機の洗剤液飛散手段の要部断面図
【図４】同食洗機の洗剤液飛散手段の要部斜視図
【図５】従来の食器洗い機の断面図
【符号の説明】
【００５２】
１  本体
２  開口部（本体開口部）
３  洗浄槽
５  開口部（洗浄槽開口部）
６  洗浄ポンプ
８  洗浄ノズル（洗浄手段）
１０  ヒータ（流動手段）
１３  蓋体
１７  凹部
１８  洗剤液飛散手段
１９  飛散部（洗剤液飛散手段）
２０  貯留部（洗剤液飛散手段）
【図１】
2005237537.tif 000003
【図２】
2005237537.tif 000004
【図３】
2005237537.tif 000005
【図４】
2005237537.tif 000006
【図５】
2005237537.tif 000007